(57)【要約】【課題】名刺等の媒体に記録されているアクセス用情報を利用して、ユーザが簡単にアクセスすることが可能な情報処理装置、情報処理方法、およびコンピュータが実行可能なプログラムを提供することを目的とする。【解決手段】ジェスチャー認識用アプリ３３は、カメラモジュール６で撮像された名刺の画像情報（名刺画像）からアクセス用情報を抽出し、撮像される媒体の画像情報に基づいて、操作者による名刺の移動（ジェスチャー）を検出し、抽出したアクセス用情報を利用して、検出した名刺の移動に応じたアクセス処理を実行する。【選択図】  図３
2010218009.tif 000002
【特許請求の範囲】
【請求項１】
アクセス用情報が記録されており、操作者により保持される媒体を撮像するための撮像手段と、
前記撮像手段で撮像された前記媒体の画像情報から前記アクセス用情報を抽出するアクセス用情報検出手段と、
前記撮像手段で撮像される媒体の画像情報に基づいて、前記操作者による前記媒体の移動を検出し、前記アクセス用情報検出手段で抽出したアクセス用情報を利用して、前記検出した媒体の移動に応じたアクセス処理を実行するアクセス処理実行手段と、
を備えたことを特徴とする情報処理装置。
【請求項２】
前記アクセス処理実行手段は、
前記撮像手段で撮像される画像情報を表示するモニタ画面を表示すると共に、前記抽出したアクセス用情報に基づいて、前記アクセス処理の内容を示すＵＩを生成し、生成したＵＩを前記モニタ画面の周りに表示するＵＩ生成手段と、
前記モニタ画面は、前記操作者が当該モニタ画面内に前記媒体が映るようにガイダンスするために使用され、
前記操作者による、前記モニタ画面に表示される前記媒体の選択する前記ＵＩ方向への移動を検出して、前記アクセス処理を選択するジェスチャー認識手段と、
前記ジェスチャー認識手段で選択されたアクセス処理をアプリケーションに実行させるアプリ起動手段と、
を含むことを特徴とする請求項１に記載の情報処理装置。
【請求項３】
前記媒体は名刺であることを特徴とする請求項１または請求項２に記載の情報処理装置。
【請求項４】
前記アクセス用情報は、電話番号、メールアドレス、およびＵＲＬアドレスの少なくとも１つが含まれることを特徴とする請求項１〜請求項３のいずれか１つに記載の情報処理装置。
【請求項５】
撮像手段から入力される、操作者により保持され、アクセス用情報が記録された媒体の画像情報から前記アクセス用情報を抽出するアクセス用情報検出工程と、
前記撮像手段で撮像される前記媒体の画像情報に基づいて、前記操作者による前記媒体の移動を検出し、前記抽出したアクセス用情報を利用して、前記検出した媒体の移動に応じたアクセス処理を実行するアクセス処理実行工程と、
を含むことを特徴とする情報処理方法。
【請求項６】
撮像手段から入力される、操作者により保持され、アクセス用情報が記録された媒体の画像情報から前記アクセス用情報を抽出するアクセス用情報検出工程と、
前記撮像手段で撮像される前記媒体の画像情報に基づいて、前記操作者による前記媒体の移動を検出し、前記抽出したアクセス用情報を利用して、前記検出した媒体の移動に応じたアクセス処理を実行するアクセス処理実行工程と、
をコンピュータに実行させることを特徴とするコンピュータが実行可能なプログラム。
【発明の詳細な説明】
【技術分野】
【０００１】
本発明は、情報処理装置、情報処理方法、およびコンピュータが実行可能なプログラムに関し、詳細には、名刺等の媒体に記録されているアクセス用情報を利用して、ユーザが簡単にアクセスすることが可能な情報処理装置、情報処理方法、およびコンピュータが実行可能なプログラムに関する。
【背景技術】
【０００２】
一般に、名刺には、個人名、肩書き、所属先（会社名、大学名、事務所名など）、デザインされた所属先ロゴ（企業ロゴ、大学ロゴ、事務所ロゴなど）、勤務先住所情報、勤務先電話番号、勤務先ＦＡＸ番号、メールアドレスなどの個人情報が印刷されている。名刺をもらった場合に、名刺等に印刷されている電話番号、Ｅメールアドレスを参照して、マニュアル入力により電話機やパーソナルコンピューターやＰＤＡなどのＥメール端末に入力する方法や、名刺を情報処理装置に搭載されたカメラを用いて撮影して、撮影した画像を文字認識してアドレス帳などに登録し、各アプリケーションからそのデータを読み出してメール・Ｗｅｂ閲覧・電話などを行う方法が一般的である。
【０００３】
例えば、特許文献１では、携帯電話のデジタルカメラで名刺の名刺画像を取得し、名刺画像からテキスト画像セグメントを抽出して複数のテキスト内容候補を生成し、テキスト内容候補ごとにデータベースに問い合わせを実行し、問い合わせにより返されたレコードに基づき、テキスト内容候補から最も可能性の高い１つを選択する技術が開示されている。
【先行技術文献】
【特許文献】
【０００４】
【特許文献１】特開２００７−１６４７８５号公報
【発明の概要】
【発明が解決しようとする課題】
【０００５】
しかしながら、特許文献１では、デジタルカメラで読み取った名刺画像のテキスト情報をデータベースに登録する構成であるので、ユーザは、名刺に記載されたＥメールアドレスにメールしたり、名刺に記載されたＵＲＬアドレスのページをＷｅｂ閲覧する場合には、他のアプリケーションを使用して、データベースからＥメールアドレスやＵＲＬアドレスを読み出して、メールやＷｅｂ閲覧をする必要があるので、ユーザは多くの操作が必要となるため、その操作が煩わしいという問題がある。
【０００６】
本発明は、上記に鑑みてなされたものであって、名刺等の媒体に記録されているアクセス用情報を利用して、ユーザが簡単にアクセスすることが可能な情報処理装置、情報処理方法、およびコンピュータが実行可能なプログラムを提供することを目的とする。
【課題を解決するための手段】
【０００７】
上述した課題を解決し、目的を達成するために、本発明は、アクセス用情報が記録されており、操作者により保持される媒体を撮像するための撮像手段と、前記撮像手段で撮像された前記媒体の画像情報から前記アクセス用情報を抽出するアクセス用情報検出手段と、前記撮像手段で撮像される媒体の画像情報に基づいて、前記操作者による前記媒体の移動を検出し、前記アクセス用情報検出手段で抽出したアクセス用情報を利用して、前記検出した媒体の移動に応じたアクセス処理を実行するアクセス処理実行手段と、を備えたことを特徴とする。
【０００８】
また、本発明の好ましい態様によれば、前記アクセス処理実行手段は、前記撮像手段で撮像される画像情報を表示するモニタ画面を表示すると共に、前記抽出したアクセス用情報に基づいて、前記アクセス処理の内容を示すＵＩを生成し、生成したＵＩを前記モニタ画面の周りに表示するＵＩ生成手段と、前記モニタ画面は、前記操作者が当該モニタ画面内に前記媒体が映るようにガイダンスするために使用され、前記操作者による、前記モニタ画面に表示される前記媒体の選択する前記ＵＩ方向への移動を検出して、前記アクセス処理を選択するジェスチャー認識手段と、前記ジェスチャー認識手段で選択されたアクセス処理をアプリケーションに実行させるアプリ起動手段と、を含むことが望ましい。
【０００９】
また、本発明の好ましい態様によれば、前記媒体は名刺であることが望ましい。
【００１０】
また、本発明の好ましい態様によれば、前記アクセス用情報は、電話番号、メールアドレス、およびＵＲＬアドレスの少なくとも１つが含まれることが望ましい。
【００１１】
また、上述した課題を解決し、目的を達成するために、本発明は、撮像手段から入力される、操作者により保持され、アクセス用情報が記録された媒体の画像情報から前記アクセス用情報を抽出するアクセス用情報検出工程と、前記撮像手段で撮像される前記媒体の画像情報に基づいて、前記操作者による前記媒体の移動を検出し、前記抽出したアクセス用情報を利用して、前記検出した媒体の移動に応じたアクセス処理を実行するアクセス処理実行工程と、を含むことを特徴とする。
【００１２】
また、上述した課題を解決し、目的を達成するために、本発明は、撮像手段から入力される、操作者により保持され、アクセス用情報が記録された媒体の画像情報から前記アクセス用情報を抽出するアクセス用情報検出工程と、前記撮像手段で撮像される前記媒体の画像情報に基づいて、前記操作者による前記媒体の移動を検出し、前記抽出したアクセス用情報を利用して、前記検出した媒体の移動に応じたアクセス処理を実行するアクセス処理実行工程と、をコンピュータに実行させることを特徴とする。
【発明の効果】
【００１３】
本発明によれば、アクセス用情報が記録されており、操作者により保持される媒体を撮像するための撮像手段と、前記撮像手段で撮像された前記媒体の画像情報から前記アクセス用情報を抽出するアクセス用情報検出手段と、前記撮像手段で撮像される媒体の画像情報に基づいて、前記操作者による前記媒体の移動を検出し、前記アクセス用情報検出手段で抽出したアクセス用情報を利用して、前記検出した媒体の移動に応じたアクセス処理を実行するアクセス処理実行手段と、を備えているので、名刺等の媒体に記録されているアクセス用情報を利用して、ユーザが簡単にアクセスすることが可能な情報処理装置を提供することが可能になるという効果を奏する。
【図面の簡単な説明】
【００１４】
【図１】図１は、本発明の実施の形態に係る情報処理装置を適用したノート型ＰＣの概略の外観図である。
【図２】図１のノート型ＰＣ１の概略のハードウェア構成例を示す図である。
【図３】ジェスチャー認識用アプリの機能構成図である。
【図４】名刺の一例を示す図である。
【図５】ジェスチャー認識用アプリによりＬＣＤパネルに表示される操作・モニタ画面の遷移の一例を示す図である。
【図６】操作者のジェスチャーを検出して、検出した動きに対応した処理内容を選択する動作を説明するための模式図である。
【図７】ジェスチャー認識用アプリによりＬＣＤパネルに表示される操作・モニタ画面の遷移の一例を示す図である。
【発明を実施するための形態】
【００１５】
以下に、この発明に係る情報処理装置、情報処理方法、およびコンピュータが実行可能なプログラムの好適な実施の形態を図面に基づいて詳細に説明する。なお、この実施の形態によりこの発明が限定されるものではない。また、下記実施の形態における構成要素には、当業者が容易に想定できるものまたは実質的に同一のものが含まれる。
【００１６】
図１は、本発明の実施の形態に係る情報処理装置を適用したノート型ＰＣの概略の外観図である。図１に示すように、ノート型ＰＣ１は、いずれも略直方体である本体側筐体２およびディスプレイ側筐体３を備える。本体側筐体２は、キーボードおよびトラックポイント（ポインティング・デバイス）等を有する入力部４と、ディスプレイ側筐体３の開閉を検出するリッドセンサ（不図示）とを備える。ディスプレイ側筐体３は、液晶ディスプレイ５と、液晶ディスプレイ５の上方の略中央に配置され、前方の被写体を撮像可能なカメラモジュール６とを備える。
【００１７】
さらに、本体側筐体２およびディスプレイ側筐体３は、それぞれの端部で左右の一対の連結部（ヒンジ部）７ａ、７ｂによって連結されており、連結部７ａ、７ｂは、これらの筐体を開閉自在に支持している。
【００１８】
図２は、図１のノート型ＰＣ１の概略のハードウェア構成例を示す図である。ノート型ＰＣ１は、同図に示すように、ＣＰＵ１１、ＲＯＭ１２、メモリ１３、ＨＤＤ（ハードディスク）１４、液晶ディスプレイ５と、グラフィックスアダプタ１６と、ビデオポート１７と、ＵＳＢインターフェース１８と、カメラモジュール６と、エンベデッドコントローラ１９と、入力部４と、リッドセンサ２０と、電源回路２１と、通信制御部２２とを備えており、各部はバスを介して直接または間接的に接続されている。
【００１９】
ＣＰＵ１１は、バスを介して接続されたＨＤＤ１４に格納されたＯＳ１４ａによりノート型ＰＣ１全体の制御を行うとともに、ＨＤＤ１４に格納された各種のプログラムに基づいて処理を実行する機能を司る。ＲＯＭ１２は、ＢＩＯＳ（Ｂａｓｉｃ  Ｉｎｐｕｔ／Ｏｕｔｐｕｔ  Ｓｙｓｔｅｍ：基本入出力システム）１２ａやデータ等を格納している。
【００２０】
メモリ１３は、キャッシュメモリやＲＡＭで構成されており、ＣＰＵ１１の実行プログラムの読み込み領域として、実行プログラムの処理データを書き込む作業領域として利用される書き込み可能メモリである。
【００２１】
ＨＤＤ（ハードディスク）１４は、例えば、Ｗｉｎｄｏｗｓ（登録商標）等のノート型ＰＣ１全体の制御を行うためのＯＳ３１、周辺機器類をハードウェア操作するための各種ドライバ（表示ドライバ、マウスドライバ、カメラドライバ等）３２、名刺を利用したジェスチャー認識を行うためのジェスチャー認識用アプリ３３、名刺データベースを管理するための名刺管理用アプリ３４、Ｗｅｂサイトをブラウジングするためのブラウザ３５、Ｅメールを送受信するためのＥメール用アプリ３６、および電話するための電話用アプリ３７等のアプリケーションを記憶する機能を有する。
【００２２】
グラフィックスアダプタ１６は、ＣＰＵ１１の制御に従って、表示情報をビデオ信号に変換し、変換したビデオ信号を液晶ディスプレイ５に出力したり、ビデオポート１７を介して外部に出力する。
【００２３】
液晶ディスプレイ５は、ＬＣＤコントローラ５ａと、ＬＣＤパネル５ｂと、バックライトコントローラ５ｃと、およびバックライト５ｄとで構成されている。ＬＣＤパネル５ｂは、透過型または半透過型の液晶パネルであり、ＣＰＵ１１の制御に従って、各種情報を表示する機能を有している。ＬＣＤコントローラ５ａは、ＣＰＵ１１の制御に従って、ＬＣＤパネル５ｂの表示制御を行い、グラフィックアダプタ１６から入力されるビデオ信号に応じた各種情報をＬＣＤパネル５ｂに表示させる。バックライトコントローラ５ｃは、グラフィックスアダプタ１６を介して、ＣＰＵ１１から入力される制御情報に基づいて、バックライト５ｄの輝度を制御する。バックライト５ｄは、ＬＥＤや反射板で構成されており、ＬＣＤパネル５ｂを照光する。
【００２４】
エンベデッドコントローラ１８は、入力部４、リッドセンサ２０，および電源回路２１が接続されており、入力部４、リッドセンサ２０，および電源回路２１の動作を制御する。入力部４は、ユーザが入力操作を行うためのユーザインターフェースであり、文字、コマンド等を入力する各種キーより構成されるキーボードや、画面上のカーソルを移動させたり、各種メニューを選択するトラックスポインタ等を備えている。リッドセンサ２０は、ディスプレイ側筐体３の閉じ状態を検出した場合に閉じ検出信号を、エンベデットコントローラ１９を介してＣＰＵ１１に通知する。
【００２５】
電源回路２１は、ＡＣアダプタ、インテリジェント電池、インテリジェント電池を充電するための充電器、およびＤＣ／ＤＣコンバータ等を備えている。エンベデットコントローラ１８は、ＢＩＯＳ１２ａの指示に従って、電源回路２１による各デバイスへの電力供給を制御して、システム状態の管理を行う。
【００２６】
通信制御部２２は、インターネットや電話回線等のネットワークを介して、データ通信、電話、およびＦＡＸ等を行うためのものである。
【００２７】
カメラモジュール６は、ＵＳＢインターフェース１８に接続されており、被写体光を結像するレンズ２５と、ＣＣＤ（Charge  Coupled  Device）またはＣＭＯＳ（Complementary  Metal-Oxide  Semiconductor）センサ等の撮像素子２６と、撮像素子２６を駆動するドライバ、Ａ／Ｄ変換器、および信号処理回路を有するＤＳＰ２７と、ＵＳＢインターフェース１８とのデータ通信を制御し、また、フラッシュメモリ２９のデータのリード／ライト等を行うＵＳＢコントローラ２８と、読み取った画像データを一次的に格納するためのフラッシュメモリ２９と、を備えている。
【００２８】
ＣＰＵ１１は、ジェスチャー認識用アプリ３３を実行することにより、カメラモジュール６で撮像した名刺画像からアクセス用情報を抽出し、操作者による名刺の移動を検出し、抽出したアクセス用情報を利用して、名刺の移動に応じたアクセス処理を実行することにより、名刺の文字情報をノート型ＰＣ１で利用する際のユーザビリティを向上させる。本明細書では、アクセス用情報とは、ＵＲＬアドレス、Ｅメールアドレス、電話番号、およびＦＡＸ番号等の相手方または媒体（サーバ、端末等）にアクセスするための情報をいい、アクセス処理とは、アクセス用情報を利用して、相手方または媒体（サーバ、端末等）にアクセスする処理をいう。以下、ＣＰＵ１１がプログラムを実行して実現する機能を、プログラムを動作主体として説明する。
【００２９】
図３〜図７を参照して、ジェスチャー認識用アプリ３３の構成および動作を詳細に説明する。図３は、ジェスチャー認識用アプリ３３の機能構成図を示している。ジェスチャー認識用アプリ３３は、図３に示すように、カメラモジュール６で撮像された名刺の画像情報の文字認識を行うＯＣＲ部４１と、カメラモジュール６に対して撮像開始や停止の指示を行うカメラ指示部４２と、カメラモジュール６で撮像された画像が名刺であるか否かを判断する名刺検出部４３と、ＯＣＲ部４１で文字認識された文字情報からアクセス用情報を検出するアクセス用情報検出部４４と、ＬＣＤパネル５ｂに操作・モニタ画面やガイダンス指示を表示したり、アクセス用情報検出部４４で検出されたアクセス用情報に基づいて処理選択用のＵＩを生成して、ＬＣＤパネル５ｂに表示するＵＩ生成部４５と、ユーザにより操作される名刺の動き（操作者のジェスチャー）を検出して、検出した動きに対応した処理内容を選択するジェスチャー認識部４６と、ジェスチャー認識部４６で選択された処理内容に応じたアプリケーション（名刺管理用アプリ３４、ブラウザアプリ３５、Ｅメール用アプリ３６、電話用アプリ３７）を起動させるアプリ起動部４７とを備えている。
【００３０】
上記構成において、ＯＣＲ部４１およびアクセス用情報検出部４４は、アクセス用情報検出手段として機能し、ＵＩ生成部４５、ジェスチャー認識部４６、およびアプリ起動部４７は、アクセス処理実行手段として機能する。
【００３１】
図４は、名刺の一例を示す図である。名刺１０は、約５．５×約９．１ｃｍまたは他の同様のサイズの名刺であって、ビジネスマンや専門家が一般的に携帯する物理的なカードである。同図に示す例では、名刺１０には、会社名：ＡＡＡ株式会社、部署：人事部、役職：主任補佐、氏名：山田花太郎、住所：東京都霞ヶ関×××−×××、電話番号：０３−××××−××××、Ｅメールアドレス：×××＠×××．ｃｏｍ、ＵＲＬアドレス：ｈｔｔｐ：／／ｗｗｗ．××××．ｎｅ．ｊｐの情報が記載されている。ここで、アクセス用情報とは、電話番号、ＦＡＸ番号、Ｅメールアドレス、およびＵＲＬアドレス等のこれらの情報に基づいてアクセス先にアクセスするための情報をいう。
【００３２】
図５は、ジェスチャー認識用アプリ３３によりＬＣＤパネル５ｂに表示される操作・モニタ画面の遷移の一例を示す図である。図６は、操作者のジェスチャーを検出して、検出した動きに対応した処理内容を選択する動作を説明するための模式図である。図５および図６では、図４に示す名刺を処理する場合を例示して説明する。
【００３３】
ジェスチャー認識用アプリ３３は、まず、図５（Ａ）に示すように、液晶ディスプレイ５のＬＣＤパネル５ｂに選択・モニタ画面６０およびガイダンス指示「モニタ内に名刺が映るように、カメラの前に名刺を置いて下さい。」を表示する。選択・モニタ画面６０は、その中央に、カメラモジュール６で撮像された画像が表示される矩形のモニタ（ファインダ）部６１と、モニタ部６１の外周の各辺を底辺とする三角形状を呈する４つのＵＩ部６２ａ〜６２ｄとを備えている。ＵＩ部６２ａ〜６２ｄは、操作者が処理内容を選択するためのＵＩ表示を行うためのものである。
【００３４】
操作者が、ガイダンス指示に従って、図５（Ｂ）に示すように、モニタ部６１内に名刺が映るように、カメラモジュール６に対して名刺をかざすと、ジェスチャー認識用アプリ３３は、カメラモジュール６で撮像した名刺の画像情報の文字認識を行い、会社名、部署、役職、氏名、住所及びアクセス用情報（ＵＲＬアドレス、Ｅメールアドレス、電話番号）を抽出する。同図に示す例では、ＡＡＡ株式会社、人事部、主任補佐、山田花太郎、住所、およびアクセス用情報（０３−××××−××××、×××＠×××．ｃｏｍ、ｈｔｔｐ：／／ｗｗｗ．××××．ｎｅ．ｊｐ）が抽出される。これらの情報の抽出は公知の画像処理技術で実施可能であるのでその詳細な説明は省略する。ジェスチャー認識用アプリ３３は、処理を行っている間は処理中である旨（ＰＲＯＣＥＳＳＩＮＧ）を表示する。
【００３５】
ジェスチャー認識用アプリ３３は、図５（Ｃ）に示すように、検出したアクセス情報等に基づいて、処理内容を選択するためのＵＩを生成して、各ＵＩ部６１ａ〜６１ｄに表示すると共に、処理内容を選択する方向に名刺を動かす旨を指示するガイダンス表示を行う。操作者は、処理内容を表示しているＵＩ部６１ａ〜６１ｄの方向に名刺を移動させることで、当該処理内容を選択することができ、移動後に所定期間、名刺をその位置で静止状態とすることで、選択を確定することができる。移動後の所定期間内に名刺を動かすことで選択をキャンセルすることができる。また、操作者は名刺１０を後方に遠ざけることで、ジェスチャー認識用アプリ３３を終了させることができる。
【００３６】
ジェスチャー認識用アプリ３３は、抽出した情報に、氏名が含まれている場合には、名刺管理用アプリ３４で名刺管理ＤＢへの登録を選択するための「ＡＤＤ  名刺管理ＤＢ」のＵＩ、メールアドレスが含まれている場合には、Ｅメール用アプリ３６でのメール送信を選択するための「ＭＡＩＬ  ＴＯ  メールアドレス」のＵＩ、ＵＲＬアドレスが含まれている場合には、ブラウザ３５で当該Ｗｅｂページへのアクセスを選択するための「Ｇ０  ＴＯ  ＵＲＬアドレス」のＵＩ、電話番号が含まれている場合には、電話用アプリ３７で当該電話番号への電話を選択するための「ＴＥＬ  電話番号」のＵＩを生成して表示する。これらの情報が含まれていない場合には、該当するＵＩを表示しない。ＵＩ表示部６２ａ〜６２ｄへの表示順は如何なる順番としてもよく、また、表示するＵＩの種類もこれに限定するものではない。
【００３７】
同図に示す例では、名刺１０に、山田花太郎（氏名）、×××＠×××．ｃｏｍ（メールアドレス）、ｈｔｔｐ：／／ｗｗｗ．××××．ｎｅ．ｊｐ（ＵＲＬアドレス）、０３−××××−××××（電話番号）が含まれているので、ＵＩ表示部６１ａ〜６１ｄには、「ＡＤＤ  名刺管理ＤＢ」のＵＩ、「ＭＡＩＬ  ＴＯ  ×××＠×××．ｃｏｍ」のＵＩ、「Ｇ０  ＴＯ  ｈｔｔｐ：／／ｗｗｗ．××××．ｎｅ．ｊｐ」のＵＩ、「ＴＥＬ  ０３−××××−××××」のＵＩが表示される。
【００３８】
ここで、操作者が、所望の処理内容を示すＵＩ部６２ａ〜６２ｄのいずれかの方向に名刺を移動させると、ジェスチャー認識用アプリ３３は、名刺の移動方向を画像処理により検出して、操作者が選択した処理内容を検出し、選択された処理内容を他のアプリケーションに実行させる。
【００３９】
ジェスチャー認識用アプリ３３は、例えば、図６に示すように、ユーザが名刺１０を上方向に移動させて、ＵＩ部６２ａの「ＡＤＤ  名刺管理ＤＢ」を選択すると、名刺管理用アプリ３４を起動させて、抽出した会社名、部署、役職、氏名、住所、ＵＲＬアドレス、Ｅメールアドレス、電話番号等を名刺管理ＤＢに登録させる。このように、ユーザは、名刺をカメラの前にかざして所定方向に移動させるだけで、名刺１０に記載されている情報を名刺管理ＤＢに自動的に登録することが可能となる。
【００４０】
また、ユーザが名刺１０を右方向に移動させて、ＵＩ部６２ｂの「ＭＡＩＬ  ＴＯ  ×××＠×××．ｃｏｍ」を選択すると、Ｅメール用アプリ３６を起動させて、メール送信画面を表示させる共に、宛先に「×××＠×××．ｃｏｍ」を自動表示させる。このように、ユーザは、名刺をカメラの前にかざして所定方向に移動させるだけで、名刺に記載された宛先が入力されたメール送信画面を表示することができ、メール送信の手間を大幅に省くことができる。
【００４１】
また、ユーザが名刺１０を下方向に移動させて、ＵＩ部６２ｃの「ｈｔｔｐ：／／ｗｗｗ．××××．ｎｅ．ｊｐ」を選択すると、ブラウザ３５を起動させて、「ｈｔｔｐ：／／ｗｗｗ．××××．ｎｅ．ｊｐ」のＷｅｂページを表示させる。このように、ユーザは、名刺をカメラの前にかざして所定方向に移動させるだけで、名刺に記載されているＵＲＬアドレスのＷｅｂページを閲覧することが可能となる。
【００４２】
また、ユーザが名刺１０を左方向に移動させて、ＵＩ部６２ｄの「ＴＥＬ  ０３−××××−××××」を選択すると、電話用アプリ３７を起動させて、「ＴＥＬ  ０３−××××−××××」にダイヤルさせる。このように、ユーザは、名刺をカメラの前にかざして所定方向に移動させるだけで、名刺に記載されている電話番号に自動的にダイヤルすることが可能となる。
【００４３】
図５に戻り、図５（Ｄ）に示す例では、ユーザが名刺１０を右方向に移動させているので、ジェスチャー認識用アプリ３３は、名刺の右方向の移動を画像処理により検出して、ＵＩ部６２ｂの「ＭＡＩＬ  ＴＯ  ×××＠×××．ｃｏｍ」を選択する。そして、ジェスチャー認識用アプリ３３は、Ｅメール用アプリ３６を起動させて、メール送信画面を表示させる共に、宛先に「×××＠×××．ｃｏｍ」を自動表示させる。また、ジェスチャー認識用アプリ３３は、選択されたＵＩ部を識別表示する。
【００４４】
図７は、ジェスチャー認識用アプリ３３の動作を説明するためのフローチャートである。同図において、操作者の指示によりジェスチャー認識用アプリ３３が起動されると（ステップＳ１）、ＵＩ生成部４５は、まず、ＬＣＤパネル５ｂに、選択・モニタ画面６０およびガイダンス指示（図５（Ａ）参照）を表示する（ステップＳ２）。つづいて、カメラ指示部４２は、カメラモジュール６を起動させる（ステップＳ３）、これにより、カメラモジュール６で撮像された画像情報がジェスチャー認識用アプリ３３に入力される。カメラ指示部４は、カメラモジュール６から入力される画像情報のモニタ部６１への表示を開始する（ステップＳ４）。操作者は、ガイダンス指示に従って、モニタ部６１内に名刺が映るように、カメラモジュール６に名刺をかざす。
【００４５】
ＯＣＲ部４１はカメラモジュール６から入力される画像情報の文字認識を行い認識した文字情報を名刺検出部４３に出力する（ステップＳ５）。名刺検出部４３は、ＯＣＲ部４５から入力される文字情報に基づいて、名刺であるか否かを判断する（ステップＳ６）。
名刺か否かを判別する方法は公知の方法（所定の項目が有るか、所定のフォーマットであるか、大きさ、色等で判定）を使用できるので、その詳細な説明は省略する。ここでは、文字情報に基づいて、名刺か否かを判断しているが、他の判別情報を使用することにしてもよい。
【００４６】
名刺である場合には（ステップＳ６の「Ｙｅｓ」）、アクセス用情報検出部４４は、ＯＣＲ部４５から入力される文字情報から会社名、部署、役職、氏名、住所及びアクセス用情報（ＵＲＬアドレス、Ｅメールアドレス、電話番号）を抽出し、ＵＩ生成部４５は、抽出した情報に基づいて、処理内容（アクセス処理の内容）を選択するためのＵＩを生成し、ＵＩ部６２ａ〜６２ｄに表示すると共に、処理内容を選択する方向に名刺を動かす旨を指示するガイダンス表示（図５（Ｃ）参照）を行う（ステップＳ７）。
【００４７】
これに応じて、操作者が処理内容を選択するＵＩ部６２ａ〜ＵＩ部６２ｄのいずれかの方向に名刺を動かす。ジェスチャー認識部４６は、所定期間内に操作者のジェスチャーを検出したか否かを判断し（ステップＳ８）、所定期間内に操作者のジェスチャーを検出していない場合には（ステップＳ８の「Ｎｏ」）、カメラモジュール６の動作を停止させた後（ステップＳ１３）、ジェスチャー認識用アプリ３３を終了する（ステップＳ１４）。
【００４８】
他方、ジェスチャー認識部４６は、所定期間内に操作者のジェスチャーを検出した場合には（ステップＳ８の「Ｙｅｓ」）、検出されたジェスチャーがジェスチャー認識用アプリ３３の終了を意味するもの（例えば、名刺１０を後方に遠ざける動作）であるかを判断する（ステップＳ９）。検出されたジェスチャーがジェスチャー認識用アプリ３３の終了を意味するものである場合には（ステップＳ９の「Ｙｅｓ」）、カメラモジュール６の動作を停止させた後（ステップＳ１３）、ジェスチャー認識用アプリを終了する（ステップＳ１４）。
【００４９】
検出されたジェスチャーがジェスチャー認識用アプリ３３の終了を意味するものでない場合には（ステップＳ９の「Ｎｏ」）、アプリ起動部４７は、操作者が選択した処理（ＵＩ部６２）を識別表示する（ステップＳ１０）。そして、ジェスチャー認識部４６は、選択した処理の選択時間が所定時間継続したか否か（所定方向に移動後に所定時間停止させたか否か）を判断し（ステップＳ１１）、所定時間継続していない場合には（ステップＳ１１の「Ｎｏ」）、ステップＳ８に戻り、所定時間継続した場合には（ステップＳ１１の「Ｙｅｓ」）、アプリ起動部４７は、操作者が選択したアプリケーションを起動させると共に、対応するアクセス用情報等を起動したアプリケーションに出力して処理内容を実行させる（ステップＳ１２）。そして、カメラモジュール６の動作を停止させた後（ステップＳ１３）、ジェスチャー認識用アプリ３３を終了する（ステップＳ１４）。
【００５０】
以上説明したように、本実施の形態によれば、ジェスチャー認識用アプリ３３は、カメラモジュール６で撮像された名刺の画像情報（名刺画像）からアクセス用情報を抽出し、撮像される媒体の画像情報に基づいて、操作者による名刺の移動（ジェスチャー）を検出し、抽出したアクセス用情報を利用して、検出した名刺の移動に応じたアクセス処理を実行することとしたので、名刺等の媒体に記録されているアクセス用情報を利用して、ユーザが簡単にアクセスすることが可能となる。
【００５１】
また、本実施の形態によれば、ジェスチャー認識用アプリ３３では、ＵＩ生成部４５は、カメラモジュールで撮像される画像情報を表示するモニタ部６１を表示すると共に、抽出したアクセス用情報に基づいて、アクセス処理の内容を示すＵＩを生成し、生成したＵＩをモニタ部６１の周りに表示し、当該モニタ部６１は、操作者がモニタ部６１に名刺が映るようにガイダンスするために使用され、ジェスチャー認識部４６は、操作者による、モニタ部６１に表示される名刺の選択するＵＩ方向への移動を検出して、アクセス処理を選択し、アプリ起動部４７は、選択されたアクセス処理をアプリケーションに実行させることとしたので、操作者は、名刺を選択するＵＩの方向に移動させるだけで、アクセス用情報を利用した所望のアクセス処理を実行することが可能となる。
【００５２】
なお、上記実施の形態では、アクセス用情報が記録された媒体として名刺を例示して説明したが、本発明はこれに限られるものではなく、アクセス用情報が視覚的に認識可能な形態で記録されている他の媒体（カード類）にも適用可能である。
【００５３】
また、上記実施の形態では、本発明に係る情報処理装置として、ノート型ＰＣを例示して説明したが、本発明に係る情報処理装置は、ノート型ＰＣに限られるものではなく、カメラを搭載したディスクトップＰＣ、携帯電話、ＰＤＡ等の各種の情報処理装置に適用可能である。
【産業上の利用可能性】
【００５４】
以上のように、本発明にかかる情報処理装置、情報処理方法、およびコンピュータが実行可能なプログラムは、名刺等に記録されたアクセス用情報を利用してアクセスする場合に広く有用である。
【符号の説明】
【００５５】
１  ノート型ＰＣ
２  本体側筐体
３  ディスプレイ側筐体
４  入力部
５  液晶ディスプレイ
５ａ  ＬＣＤコントローラ
５ｂ  ＬＣＤパネル
５ｃ  バックライトコントローラ
５ｄ  バックライト
６  カメラモジュール
７ａ、７ｂ  連結部（ヒンジ部）
１１  ＣＰＵ
１２  ＲＯＭ
１２ａ  ＢＩＯＳ
１３  メモリ
１４  ＨＤＤ（ハードディスク）
１４ａ  ＯＳ
１４ｂ  ドライバ
１４ｃ  カメラ用アプリ
１６  グラフィックスアダプタ
１７  ビデオポート
１８  ＵＳＢインターフェース
１９  エンベデッドコントローラ
２０  リッドセンサ
２１  電源回路
２２  通信制御部
２５  レンズ
２６  撮像素子
２７  ＤＳＰ
２８  ＵＳＢコントローラ
２９  フラッシュメモリ  
４１  ＯＣＲ部
４２  カメラ指示部
４３  名刺検出部
４４  アクセス用情報検出部
４５  ＵＩ生成部
４６  ジェスチャー認識部
４７  アプリケーション起動部
【図１】
2010218009.tif 000003
【図２】
2010218009.tif 000004
【図３】
2010218009.tif 000005
【図４】
2010218009.tif 000006
【図５】
2010218009.tif 000007
【図６】
2010218009.tif 000008
【図７】
2010218009.tif 000009